(57)【特許請求の範囲】
【請求項１】
遊技盤が取り付けられ、遊技球を貯留する球皿部を配設してなる遊技機の発光構造において、
上記遊技機は、上記遊技盤における遊技領域を視認するための開口部を有しており、
上記球皿部は、上記開口部に対する下方位置に配設してあり、
上記遊技機の前面側には、光を発する環状発光体が設けてあり、
該環状発光体は、上記開口部に対する上側部及び左右両側部と、上記球皿部に対する下側部及び左右両側部とを連続して取り囲む状態で設けてあり、かつ上記上側部に設けた上側発光部及び上記下側部に設けた下側発光部が、上記開口部及び上記球皿部に対する上記左右両側部に設けた左右発光部の上下方向における中間部よりも前方に突出する状態に形成してあり、
上記環状発光体が発する光が当該遊技機の中心側へ向くように構成してあり、
上記遊技機の上記上側部における左右の角部であって、上記環状発光体に対する外側の略三角形の領域には、光を発することが可能な上角発光体を収納した上角発光領域部が形成されており、
該上角発光領域部は、上記遊技機における左右の縁部近傍の上下方向に設けた回動支点部を中心に前後方向に回動して開閉可能であると共に、開状態においては、上記上角発光体を上記遊技機の前面側に露出させて光を発するよう構成してあり、かつ、上側に位置する部分ほど上記遊技機の前方へ多く突出するよう形成されており、
上記上角発光体は、発光源を設けた発光回転体を、上記遊技機の左右方向に設けた回動軸部を中心に回動させるよう構成してあり、
上記発光回転体は、上下に複数個並べて設けてあると共に、上記上角発光領域部の形状に合わせて、上側に位置するものほど左右方向の長さが長くなっており、かつ、上記上角発光領域部が開状態になったときには、上側に位置するものほど上記遊技機の前方へ多く突出するよう形成されていることを特徴とする遊技機の発光構造。
【発明の詳細な説明】
【技術分野】
【０００１】
本発明は、遊技盤が取り付けられ、遊技球を貯留する球皿部を配設してなる遊技機の発光構造に関する。
【背景技術】
【０００２】
パチンコ遊技機等の遊技機においては、遊技の趣向性を高めるために種々の電飾的効果を狙った演出が行われている。例えば、特許文献１においては、パチンコ遊技機の表面に配設する複数の点灯具の構造に工夫が行われている。このパチンコ遊技機の表面においては、開口を介して前面に臨む遊技盤の遊技領域に沿って、表面カバーに複数の点灯具が連設されてなる案内灯具列と、上皿パネルに複数の点灯具が上部球受皿を囲むように連設されてなる上皿情報灯具列と、下皿パネルに複数の点灯具が下部球受皿を囲むように連設されてなる下皿情報灯具列とが形成されている。
【０００３】
そして、上皿情報灯具列により上皿の球切れの警告表示を行うことにより、遊技者に球切れの発生を適切に報知することができ、下皿情報灯具列により球過剰の警告表示を行うことにより、遊技者に下部球受皿が満杯になったことを適切に報知することができる。
【０００４】
しかしながら、遊技の趣向性をさらに向上させるためには、上記特許文献１のパチンコ遊技機の構成によっても十分ではない。すなわち、特許文献１においては、各灯具列における点灯具は、遊技機の正面に向けて光を発するよう構成されており、遊技者にあたかもスポットライトを浴びせるかのごとく点灯表示を行うためには十分ではない。
【０００５】
【特許文献１】特開２００３−７０９９２号公報
【発明の開示】
【発明が解決しようとする課題】
【０００６】
本発明は、かかる従来の問題点に鑑みてなされたもので、遊技者にあたかもスポットライトを浴びせるかのごとく上下左右のあらゆる方向から光を集中させて照射することができ、遊技の趣向性をより向上させることができる遊技機の発光構造を提供しようとするものである。
【課題を解決するための手段】
【０００７】
本発明は、遊技盤が取り付けられ、遊技球を貯留する球皿部を配設してなる遊技機の発光構造において、
上記遊技機は、上記遊技盤における遊技領域を視認するための開口部を有しており、
上記球皿部は、上記開口部に対する下方位置に配設してあり、
上記遊技機の前面側には、光を発する環状発光体が設けてあり、
該環状発光体は、上記開口部に対する上側部及び左右両側部と、上記球皿部に対する下側部及び左右両側部とを連続して取り囲む状態で設けてあり、かつ上記上側部に設けた上側発光部及び上記下側部に設けた下側発光部が、上記開口部及び上記球皿部に対する上記左右両側部に設けた左右発光部の上下方向における中間部よりも前方に突出する状態に形成してあり、
上記環状発光体が発する光が当該遊技機の中心側へ向くように構成してあり、
上記遊技機の上記上側部における左右の角部であって、上記環状発光体に対する外側の略三角形の領域には、光を発することが可能な上角発光体を収納した上角発光領域部が形成されており、
該上角発光領域部は、上記遊技機における左右の縁部近傍の上下方向に設けた回動支点部を中心に前後方向に回動して開閉可能であると共に、開状態においては、上記上角発光体を上記遊技機の前面側に露出させて光を発するよう構成してあり、かつ、上側に位置する部分ほど上記遊技機の前方へ多く突出するよう形成されており、
上記上角発光体は、発光源を設けた発光回転体を、上記遊技機の左右方向に設けた回動軸部を中心に回動させるよう構成してあり、
上記発光回転体は、上下に複数個並べて設けてあると共に、上記上角発光領域部の形状に合わせて、上側に位置するものほど左右方向の長さが長くなっており、かつ、上記上角発光領域部が開状態になったときには、上側に位置するものほど上記遊技機の前方へ多く突出するよう形成されていることを特徴とする遊技機の発光構造にある（請求項１）。
【０００８】
本発明の遊技機の発光構造は、遊技機の前面側において、遊技機の開口部に対する上側部及び左右両側部と、球皿部に対する下側部及び左右両側部とを連続して取り囲む環状発光体の形成状態に工夫を行っている。
【０００９】
すなわち、本発明の環状発光体は、開口部に対する上側部に設けた上側発光部及び球皿部に対する下側部に設けた下側発光部が、開口部及び球皿部に対する左右両側部に設けた左右発光部の上下方向における中間部よりも前方に突出する状態に形成してある。そして、環状発光体は、この環状発光体が発する光が遊技機の中心側へ向くように構成している。
【００１０】
これにより、環状発光体が発する光により、あたかもスポットライトを浴びせるかのごとく、上下左右のあらゆる方向から遊技者側に向けて光を集中させて照射することができる。
【００１１】
また、上側発光部と下側発光部とが前方に突出した構造にすることにより、上側発光部からの光は下方へ照射され、下側発光部からの光は球皿部によってほとんど遮られることなく上方へ照射され、左右発光部からの光は両側方から内方側へ照射される。これにより、遊技者は、遊技機の外周に沿って配設された環状発光体から発せられた光をすべて視認することができる。そのため、光の演出をより効果的に行うことができ、遊技の趣向性をより向上させることができる。
【００１２】
また、上側発光部と下側発光部とが前方に突出しているので、奥行き感のある立体的な光の演出を行うことができる。また、周囲の部材に遮られることなく、遊技機の外方からも各発光部から発せられた光を確認することができる。これにより、遊技機が遊技場に設置された場合において、遠方からでも環状発光体が発する光を確認することができ、光を用いた情報報知処理（大当り、異常等）をより的確に行うことができる。
【００１３】
それ故、本発明の遊技機の発光構造によれば、遊技者にあたかもスポットライトを浴びせるかのごとく上下左右のあらゆる方向から光を集中させて照射することができ、遊技の趣向性をより向上させることができる。
【発明を実施するための最良の形態】
【００１４】
上述した本発明の遊技機の発光構造における好ましい実施の形態につき説明する。
【００１５】
本発明において、上記遊技機の中心側とは、遊技機の前方において、高さ方向の中央寄り（内部寄り）及び幅方向の中央寄り（内部寄り）の領域のことをいい、より詳しくは遊技機を遊技する遊技者の顔部付近の領域のことをいう。また、上記環状発光体が発する光が当該遊技機の中心側へ向く状態は、環状発光体における発光源の光軸を中心側へ向けることにより形成することができる。また、この状態は、環状発光体における発光源の光軸が遊技機の中心側を向いていなくても、環状発光体における発光源から照射される光の一部を遊技機の中心側へ向けることにより形成することもできる（言い換えれば、遊技機の中心側から、環状発光体における発光源から照射される光の一部が視認できる状態も含めることができる。）。
【００１６】
また、上記遊技機の上記上側部における左右の角部であって、上記環状発光体に対する外側の領域には、光を発することが可能な上角発光体を収納した上角発光領域部を形成し、該上角発光領域部は、開閉可能であると共に、開状態においては、上記上角発光体を露出させて光を発するよう構成されている。
【００１７】
遊技機における通常の遊技状態のときには、上角発光領域部を閉状態にしておき、上角発光体を視認できない状態にしておくことができる。そして、遊技機の遊技において、リーチや大当り等の演出を行うときには、上角発光領域部を開状態にし、上角発光体から発する光を遊技者へ照射することができる。
【００１８】
これにより、遊技者の意表をついた演出を行うことができ、遊技の趣向性をより一層向上させることができる。
【００１９】
また、この場合には、遊技機の開口部の外周に沿って、上側発光部及び左右発光部を光らせつつ、その環状発光領域には含まれない残りの領域である、遊技機の上角発光領域部をも光らせることができる。これにより、遊技機における開口部を除いた、上中領域のすべてを光らせることができる。そのため、開口部の内方に位置する遊技盤の遊技領域内での演出と組み合わせつつ、光の演出をより効果的に行うことができ、遊技の趣向性をより向上させることができる。
【００２０】
また、上記球皿部の一部には、光を発することが可能な球皿発光体を収納した球皿発光領域部を形成し、該球皿発光領域部は、開閉可能であると共に、開状態においては、上記球皿発光体を露出させて光を発するよう構成することが好ましい。
【００２１】
この場合には、遊技機における通常の遊技状態のときには、球皿発光領域部を閉状態にしておき、球皿発光体を視認できない状態にしておくことができる。そして、遊技機の遊技において、リーチや大当り等の演出を行うときには、球皿発光領域部を開状態にし、球皿発光体から発する光を遊技者へ照射することができる。
【００２２】
これにより、遊技者の意表をついた演出を行うことができ、遊技の趣向性をより一層向上させることができる。また、球皿部における遊技球の貯留状態が満タン状態（遊技球のそれ以上の貯留が困難になった状態）になったときには、球皿発光領域部を開状態にし、球皿発光体を発光させることにより、遊技者に上記満タン状態を報知することができる。これにより、遊技者に、満タン状態の解除を促すことができる。
【００２３】
また、球皿部の一部という、一般の遊技機では開放されることがない予期せぬ部位を開放させることにより、遊技者の意表をついた演出を行うことができる。また、球皿発光領域部を開状態にして球皿発光体から光を発するときには、遊技者は、上方から球皿部付近を見下ろしたときに、球皿部の下側部に設けた下側発光部の光と、この下側発光部の上方領域に新たに出現させた球皿発光体による光とを重畳的に視認することができる。これにより、より効果的に光の演出を行うことができ、遊技の趣向性をより向上させることができる。
【００２４】
また、上記球皿部は、上記遊技機において打球供給皿として機能する１つの皿部分からなる一皿構造にし、上記下側発光部は、その発光面の左右方向における中心部分の幅が最も広くなった形状に形成することが好ましい。
【００２５】
この場合には、中心部分という視界に入り易い部分を最も広い領域として光らせることができるので、環状発光体の下側発光部から発した光をより効果的に遊技者へ照射することができる。
【００２６】
ところで、一般的な上下皿構造の遊技機においては、下皿（補助球受皿）に貯留した遊技球を取り出すことを目的として、通常、下皿の上方領域に遊技者の握り拳等が入るくらいの空間を設けている。そのため、この空間には、装飾機能を有する部材（下側発光部）を配設することが困難である。これに対し、一皿構造の遊技機によれば、下皿自体が存在しないので、上記空間を設ける必要がない。したがって、その空間の部位に装飾機能を有する部材を配設することが可能となり、遊技機における装飾効果の向上を目的として、その空間の部位を有効に利用することができる。
【実施例】
【００２７】
以下に、本発明の遊技機の発光構造にかかる実施例につき、図面を参照して説明する。
（実施例１）
本例の遊技機１の発光構造は、図１、図２に示すごとく、遊技盤２５が取り付けられ、遊技球を貯留する球皿部２３を配設してなる遊技機１において、環状発光体３による演出効果を向上させたものである。
【００２８】
図１に示すごとく、遊技機１は、遊技盤２５における遊技領域を視認するための開口部２１１を有しており、球皿部２３は、開口部２１１に対する下方位置に配設してある。遊技機１の前面側には、光を発する環状発光体３が設けてある。環状発光体３は、開口部２１１に対する上側部２０１及び左右両側部２０２Ａと、球皿部２３に対する下側部２０３及び左右両側部２０２Ｂとを連続して取り囲む状態で設けてある。
【００２９】
図２に示すごとく、環状発光体３は、上側部２０１に設けた上側発光部３０１及び下側部２０３に設けた下側発光部３０３が、開口部２１１及び球皿部２３に対する左右両側部２０２Ａ、Ｂに設けた左右発光部３０２の上下方向の中間部よりも前方に突出する状態に形成してある。そして、環状発光体３は、この環状発光体３が発する光が遊技機１の中心側へ向くように構成してある。
【００３０】
なお、本例の各図において、発光源から発した光を矢印Ｘで示し、遊技機１の前方を矢印Ｆで示す。
【００３１】
以下に、本例の遊技機１の発光構造につき、図１〜図９を参照して詳説する。
【００３２】
図１、図２に示すごとく、本例の遊技機１は、パチンコ遊技機であり、遊技領域を形成した遊技盤２５を取り付けた本体枠２と、本体枠２の上側部分の前面側に開閉可能に配設したガラス扉２１と、本体枠２の前面側においてガラス扉２１の下方に設けた前面パネル２２とを有している。本例において、開口部２１１は、遊技機の一部材として構成されるガラス扉２１に形成してあり、遊技盤２５の遊技領域を視認可能にしつつ、開口部２１１を覆うためのガラス板をガラス扉２１の裏面側に配設してなる。また、球皿部２３は、前面パネル２２の前面に設けてある。また、本体枠２は、外枠１０に対して開閉可能に配設してある。
【００３３】
本例の環状発光体３は、ガラス扉２１と前面パネル２２とに渡って、開口部２１１及び球皿部２３を取り囲むよう連続して設けてある。
【００３４】
なお、本例の前面パネル２２は、ガラス扉２１と別体として形成した。これに対し、前面パネル２２は、ガラス扉２１と一体的に形成し、前面パネル２２とガラス扉２１とを１つの開閉扉として構成することもできる。この場合には、環状発光体３に分割部分が存在しなくなるので、機構的な構成が簡単になる。また、開閉扉を設けずに、本体枠２自体に、開口部２１１と球皿部２３とを直接設けることもできる。
【００３５】
図１、図３、図４に示すごとく、環状発光体３は、開口部２１１及び球皿部２３の周りを連続して取り囲む状態で配置した複数の発光ダイオード等の発光源３１と、発光源３１から発した光を反射するリフレクタ３２と、発光源３１から発した光を所定の方向へ導く複数の導光体３３と、各構成部品３１、３２、３３を保護しつつ光を通過させる機能を有するレンズカバー（本例では透明なレンズカバー）３４とを有している。
【００３６】
また、発光源３１を配設した電装基板は、この発光源３１の光軸が遊技機１の中心側を向くように配設されている。
【００３７】
発光源３１として、発光ダイオードを用いた場合には、高い指向性を有する発光ダイオードの特性を利用して、目的とする方向に向けて的確に光を照射させることができる。また、発光源３１を構成する発光ダイオードは、フルカラータイプのものを用いることができる。なお、発光源３１は、発光ダイオード以外にも、キセノンランプ等のその他の発光源を用いることもできる。
【００３８】
また、発光源３１を配設した電装基板は、上記構成以外にも、発光源３１から照射される光の一部が遊技機１の中心側を向く状態に配設されていればよく、例えば、発光源３１の光軸が遊技機１の前面に対して略垂直方向に向く状態等に配設することもできる。
【００３９】
図３に示すごとく、本例の導光体３３は、遊技機１の正面側から見た状態において、環状発光体３の上側発光部３０１、下側発光部３０３及び左右発光部３０２の各部位において、各部位の幅方向（環状発光体３の形成方向に直交する方向）Ｗに対して互いに交錯するよう傾斜する略平行な複数本の斜線によって区画形成される菱形形状を有している。そして、環状発光体３の各部位においては、複数の菱形形状の導光体３３が規則正しく配列されている。なお、導光体３３の出射面３３０は、レンズカバー３４によって覆われているが、同図においては、わかり易くするため、導光体３３を実線によって示す。また、導光体３３は、環状発光体３の全周に形成されているが、同図においては、一部の導光体３３のみを示し、残りの導光体３３を省略している。
【００４０】
図３、図４に示すごとく、本例のレンズカバー３４の表面は、環状発光体３の形成方向に直交する方向の断面形状が、一対の斜面を合わせた山形形状を有している。また、導光体３３の出射面３３０は、環状発光体３の形成方向に直交する方向の断面形状の全体が、山形形状を有している。また、リフレクタ３２は、環状発光体３のベースを形成する樹脂製のベース部材の表面に、光沢のある金属メッキ膜３２０を設けることによって形成されている。
【００４１】
また、菱形形状の導光体３３同士の間に形成された隙間には、リフレクタ３２が配置されている。また、リフレクタ３２は、環状発光体３の各部位の幅方向Ｗの両側において、遊技機１の前方側へ突出する状態の反射壁部３２１を形成してなる。この反射壁部３２１によって光を反射させることにより、遊技機１の側方から見たときでも、環状発光体３が点灯している状態を容易に視認することができる。
【００４２】
また、各導光体３３の出射面３３０には、遊技機１の上下方向に沿った複数の鋸歯状のレンズカット３３１が施されている。
【００４３】
また、立体的に突出する導光体３３により、遊技機１の前方だけでなく、遊技機１の上方又は側方へも光を出射させることができる。そして、立体的な導光体３３の全体が光ることができ、意匠的効果を向上させることができる。また、遊技機１の外方からも導光体３３の発光状態を確認することが容易となる構成にすることができる。
【００４４】
また、導光体３３同士の間の隙間として形成されたリフレクタ３２は、導光体３３よりも暗い状態で光ることができ、複数の導光体３３とリフレクタ３２とによる模様をより効果的に浮き出させることができる。
【００４５】
また、昨今の遊技機１においては、遊技趣向性の向上のために、遊技盤２５に形成する遊技領域が拡大する傾向にあり、それに伴って開口部２１１による開口面積が拡大している。そのため、特に、遊技機１の左右両側部２０２Ａ、Ｂにおいては、左右方向の幅寸法を大きくすることが困難になる。これに対し、導光体３３の出射面３３０を立体的な山形形状としたことにより、左右方向の幅寸法が小さい左右両側部２０２Ａ、Ｂにおいても、光の演出効果を高く維持することができる。
【００４６】
また、図１に示すごとく、環状発光体３は、遊技機１において、左右対称形状に設けてある。図２に示すごとく、本例の環状発光体３のレンズカバー３４の前側表面は、遊技機１の側方から見た状態において、上下の中間部分（左右発光部３０２の上下方向の中間部分）が最も後方へ窪み、上下の端部に向かうほど前方へ突出する曲面形状（すり鉢形状）に形成してある。
【００４７】
図１に示すごとく、本例の球皿部２３は、遊技機１において打球供給皿として機能する１つの皿部分からなる一皿構造を有している。また、球皿部２３に対する下側部２０３に設けた下側発光部３０３は、その発光面の左右方向における中心部分の幅Ｃが最も広くなった形状に形成してある（より詳しくは、上方から見下ろしたときに、中心部分の幅Ｃが最も広くなった形状に形成してある。）。これにより、中心部分という視界に入り易い部分を最も広い領域として光らせることができるので、下側発光部３０３から発する光を、より効果的に遊技者へ照射することができる。また、最も前方に突出した部分（中心部分）の発光領域を広く形成することができるので、遊技機１の外方からも発光状態を確認することが容易となる構成にすることができる。
【００４８】
図１に示すごとく、本例の遊技機１の上側部２０１における左右の角部であって、環状発光体３に対する外側の領域には、光を発することが可能な上角発光体４を収納した上角発光領域部１１が形成してある。この上角発光領域部１１は、図５、図６に示すごとく、開閉可能であると共に、開状態４０２においては、上角発光体４を露出させて光を発するよう構成してある。
【００４９】
また、本例の上角発光領域部１１は、遊技機１の上側部２０１における左右の角部を含めた略三角形の領域に形成してあり、遊技機１における左右の縁部近傍に設けた回動支点部４０を中心に回動して開くよう構成してある。
【００５０】
図６に示すごとく、本例の上角発光体４は、上角発光領域部１１における内面側に設けてあり、上角発光領域部１１が閉状態４０１にあるときには、遊技者によって視認ができないように隠されており、上角発光領域部１１が開状態４０２になったときには、遊技者によって視認できるよう遊技機１の前面側に露出するよう構成してある。
【００５１】
図２に示すごとく、上角発光領域部１１は、上側に位置する部分ほど遊技機１の前方へ多く突出して形成してあり、この上角発光領域部１１が開状態４０２になったときには、上角発光体４は、上側に位置する部分ほど遊技機１の前方へ多く突出する。これにより、上角発光領域部１１が開状態４０２になったときの上角発光体４は、遊技者の方向（斜め下方）に向けて光を発することができる。
【００５２】
また、図６に示すごとく、上角発光領域部１１が開状態４０２になったときには、閉状態４０１において前面側に配置されていた前面部１１０が、遊技機１の左右の縁部よりも外方へ突出しないようになっている。
【００５３】
また、上角発光体４は、上角発光領域部１１が開状態４０２になったときに点灯し、上角発光領域部１１が閉状態４０１にあるときには、点灯しないよう構成されている。
【００５４】
また、図５、図６に示すごとく、本例の上角発光体４は、発光ダイオード等の複数の発光源４１と、発光源４１から発された光を所定の方向へ導く発光回転体４２と、各構成部品４１、４２を保護しつつ光を通過させる機能を有するレンズカバー（本例では透明なレンズカバー）４３とを有している。発光回転体４２は、図示しない駆動機構により表状態４２１（図５の左側）と裏状態４２２（図５の右側）との２位置に回動して、発光源４１による光の照射の仕方を変更することができるよう構成してある。
【００５５】
本例の発光回転体４２は、遊技機１の左右方向に設けた回動軸部４２３を中心に回動するよう構成してある。また、発光回転体４２は、上下に複数個並べて設けてあり、略三角形状の上角発光領域部１１の形状に合わせて、上側に位置するものほど左右方向の長さが長くなっている。
【００５６】
また、図５に示すごとく、発光回転体４２は、表状態４２１にあるときには、発光源４１による光の全体を照射して、その全体が明るく光るよう構成してあり、裏状態４２２に変更したときには、発光源４１から発した光がＸ状の壁部４２４によって遮られ、この壁部４２４の隙間から漏れる光によって、表状態４２１の場合とは異なる意匠性を有する光の照射がなされるよう構成してある。
【００５７】
そして、遊技機１における通常の遊技状態のときには、上角発光領域部１１を閉状態４０１にしておき、上角発光体４を視認できない状態にしておくことができる。一方、遊技機１の遊技において、リーチや大当り等の演出を行うときには、上角発光領域部１１を開状態４０２にし、上角発光体４から発する光を遊技者へ照射することができる。これにより、遊技者の意表をついた演出を行うことができる。
【００５８】
図２、図７に示すごとく、球皿部２３の下側部分には、光を発することが可能な球皿発光体５を収納した球皿発光領域部１２が形成してある。球皿発光領域部１２は、開閉可能であると共に、開状態５０２においては、球皿発光体５を露出させて光を発するよう構成してある。
【００５９】
本例の球皿発光領域部１２は、球皿部２３の下部において、点灯時に前方へ移動して開状態５０２に変化するよう構成してある。そして、球皿発光領域部１２は、開状態５０２に変化したときには、球皿発光体５によって上方へ光を発するよう構成してある。
【００６０】
図７に示すごとく、球皿発光体５は、発光ダイオード等の発光源５１と、発光源５１による光を拡散するレンズカバー５２とを有している。また、レンズカバー５２は、球皿部２３の輪郭に沿った帯形状に形成されており、発光源５１は、上記帯形状に沿って複数個が配置されている。また、球皿部２３の上側部分の表面は黒色塗装がされており、球皿発光体５の発光源５１から発せられた光は、球皿部２３の上側部分の表面を反射するようになっている。これにより、球皿部２３の上側部分の表面に、間接照射のような光の演出を形成することができる。そして、遊技者、及び遊技機の外方から光を確認する確認者に対して、効果的な光の演出、又は光による情報報知処理を行うことができる。
【００６１】
図２に示すごとく、遊技機１における通常の遊技状態のときには、球皿発光領域部１２を閉状態５０１にしておき、球皿発光体５を視認できない状態にしておくことができる。そして、遊技機１の遊技において、リーチや大当り等の演出を行うときには、球皿発光領域部１２を開状態５０２にし、球皿発光体５から発する光を遊技者へ照射することができる。これにより、遊技者の意表をついた演出を行うことができる。
【００６２】
また、球皿部２３の表面という、一般の遊技機では決して開放させることがない予期せぬ部位を開放させることにより、遊技者の意表をついた演出を行うことができる。また、球皿発光領域部１２を開状態５０２にして球皿発光体５から光を発するときには、遊技者は、上方から球皿部２３付近を見下ろしたときに、球皿部２３の下側部２０３に設けた下側発光部３０３の光と、この下側発光部３０３の上方領域に新たに出現させた球皿発光体５による光とを重畳的に視認することができる。
【００６３】
図１、図８に示すごとく、遊技機１の左下の角部には、遊技者が遊技を行うときに操作するための演出用スイッチ７が設けてある。本例の演出用スイッチ７は、ジョイスティック（所定の方向へ操作可能なつまみ状操作部）７として設けてあり、遊技機１には、ジョイスティック７による操作に応じて点灯する補助発光部７１が設けてある。この補助発光部７１は、ジョイスティック７の後方側に複数個並べて設けることができる。
【００６４】
そして、ジョイスティック７の操作に応じ、補助発光部７１を点灯させると共に、環状発光体３も点灯させることができる。これにより、例えば、ジョイスティック７による操作を、環状発光体３の左下部から右上部へとあたかも伝播させるかのごとく環状発光体３を点灯させることができる。
【００６５】
図１、図９に示すごとく、遊技機１の右下の角部には、遊技者が遊技を行うときに操作し、遊技領域への遊技球の発射強度を調節するための操作ハンドル８が設けてある。操作ハンドル８は、遊技機１の前面パネル２２に固定する固定ベース部８１と、固定ベース部８１に対して回動し、遊技球の発射強度を調節するための回動リング部８２と、固定ベース部８１との間に回動リング部８２を挟持する状態で固定ベース部８１に固定したキャップ部８３とを有している。
【００６６】
図９に示すごとく、回動リング部８２の外周部には、遊技者の指を係止することができる複数の操作突起部８２１が形成してある。キャップ部８３は、操作ハンドル８を握った遊技者の掌に接触又は対向する部位として形成されている。
【００６７】
そして、本例のキャップ部８３の表面と、操作突起部８２１とには、遊技を行う際に発光することができるハンドル発光体８４１、８４２が設けてある。
【００６８】
また、回動リング部８２の外周部とキャップ部８３との間には、回動リング部８２による発射強度がゼロになる初期位置において、互いに繋がる（周方向の形成位置が一致する）凹部８５が、周方向の適宜箇所に複数形成されている。
【００６９】
そして、遊技者が回動リング部８２を回動操作すると、上記複数の凹部８５の位置関係が周方向にずれる。これにより、回動リング部８２とキャップ部８３との間に凹凸の変化が生じ、遊技者は、凹凸の変化を指の感触として覚えておくことにより、回動リング部８２の回動操作位置を適宜変更させたとしても、回動リング部８２を適切な発射強度を有する回動操作位置に回動復帰させることが容易になり、また、遊技者の操作ハンドル８に対するフィット感を向上させることもできる。
【００７０】
また、本例の操作ハンドル８においては、上記操作突起部８２１と凹部８５とが、周方向に交互に３箇所ずつ形成されている。これにより、より最適なフィット感を実現することができる。
【００７１】
本例の遊技機１の発光構造は、遊技機１の前面側において、遊技機１の開口部２１１に対する上側部２０１及び左右両側部２０２Ａと、球皿部２３に対する下側部２０３及び左右両側部２０２Ｂとを連続して取り囲む環状発光体３の形成状態に工夫を行っている。
【００７２】
すなわち、本例の環状発光体３は、開口部２１１に対する上側部２０１に設けた上側発光部３０１及び球皿部２３に対する下側部２０３に設けた下側発光部３０３が、開口部２１１及び球皿部２３に対する左右両側部２０２Ａ、Ｂに設けた左右発光部３０２よりも前方に突出する状態に形成してある。そして、環状発光体３は、この環状発光体３が発する光が遊技機１の中心側へ向くように構成している。
【００７３】
これにより、環状発光体３が発する光により、あたかもスポットライトを浴びせるかのごとく、上下左右のあらゆる方向から遊技者側に向けて光を集中させて照射することができる。
【００７４】
また、上側発光部３０１と下側発光部３０３とが前方に突出した構造にすることにより、上側発光部３０１からの光は下方へ照射され、下側発光部３０３からの光は球皿部２３によってほとんど遮られることなく上方へ照射され、左右発光部３０２からの光は両側方から内方側へ照射される。これにより、遊技者は、遊技機１の外周に沿って配設された環状発光体３から発せられた光をすべて視認することができる。そのため、光の演出をより効果的に行うことができ、遊技の趣向性をより向上させることができる。
【００７５】
また、上側発光部３０１と下側発光部３０３とが前方に突出しているので、奥行き感のある立体的な光の演出を行うことができる。また、周囲の部材に遮られることなく、遊技機１の外方からも各発光部３０１、３０２、３０３から発せられた光を確認することができる。これにより、遊技機１が遊技場に設置された場合において、遠方からでも環状発光体３が発する光を確認することができ、光を用いた情報報知処理（大当り、異常等）をより的確に行うことができる。
【００７６】
また、遊技機１の開口部２１１の外周に沿って、上側発光部３０１及び左右発光部３０２を光らせつつ、その環状発光領域には含まれない残りの領域である、遊技機１の上角発光領域部１１をも光らせることができる。これにより、遊技機１における開口部２１１を除いた、上中領域のすべてを光らせることができる。そのため、開口部２１１の内方に位置する遊技盤２５の遊技領域内での演出と組み合わせつつ、光の演出をより効果的に行うことができ、遊技の趣向性をより向上させることができる。
【００７７】
また、本例の環状発光体３の上側発光部３０１及び左右発光部３０２、並びに上角発光領域部１１は、遊技機１の外形の外周に沿った広い範囲に設けることができる。そのため、光の演出効果をより向上させることができる。
【００７８】
それ故、本例の遊技機１の発光構造によれば、遊技者にあたかもスポットライトを浴びせるかのごとく上下左右のあらゆる方向から光を集中させて照射することができ、遊技の趣向性をより向上させることができる。
【００７９】
なお、本例の遊技機１の発光構造は、パチンコ遊技機以外にも、アレンジボール遊技機等、その他の遊技機に適用することもできる。
【００８０】
なお、球皿部２３は、一皿構造とする以外にも、上下皿を有する二皿構造とすることもできる。この場合には、下側発光部３０３は下皿の下側部に配設することができる。この場合にも、一皿構造の場合と同様の光の演出効果を実現することができる。
【００８１】
また、環状発光体３による光の照射の仕方としては、環状のすべてを光らせる発光の方法、ルーレットのように環状における適宜部位から順次移動しながら光らせる発光の方法等、遊技の演出に併せて適宜趣向を凝らすことができる。
【００８２】
（実施例２）
本例は、遊技機１の開口部２１１に対する上側部２０１に更なる工夫を行った例を示す。
【００８３】
具体的には、図１０、図１１に示すごとく、遊技機１の開口部２１１に対する上側部２０１には、スピーカ６４が配置してある。そして、本例の環状発光体３の上側発光部３０１は、発光ダイオード等の発光源６１と、発光源６１から発した光を遊技機１の前方へ導く露出導光体６２とを用いて構成してある。露出導光体６２は、遊技機１の表面側に露出して配置されている。
【００８４】
図１１に示すごとく、露出導光体６２は、遊技機１の上縁部近部から前方へ形成した第１導光部６２１と、第１導光部６２１の先端から斜め下方の後方に向けて形成した第２導光部６２２とによるＶ型形状に形成してある。発光源６１は、第１導光部６２１及び第２導光部６２２の後方端部に対向する位置にそれぞれ設けてある。そして、各発光源６１から各導光部の後方端部へ入射された光は、各導光部６２１、６２２の途中で適宜出射することにより、各導光部６２１、６２２の全体を点灯させることができる。
【００８５】
また、図１０に示すごとく、Ｖ型形状の露出導光体６２は、遊技機１の左右方向に所定の間隔を空けて複数個配置することができる。そして、露出導光体６２同士の間には、スピーカ６４による音声を通すことができる多数の穴６３１を設けた鋼板（パンチングメタル）６３が露出している。この鋼板６３は、環状発光体３の上側発光部３０１の左右方向に延設して形状することができ、その全体をＶ型形状に形成しておくことができる。そして、Ｖ型形状の露出導光体６２は、Ｖ型形状の鋼板６３の表面に取り付けることにより、その取付状態を安定させることができる。
【００８６】
また、図１１に示すごとく、Ｖ型形状の鋼板６３によって、その内部にスピーカ６４から出力された音が響く音響空間６５を形成することができる。これにより、スピーカ６４による音声の出力特性と、複数の露出導光体６２を光らせることによる遊技機１の演出効果とを相乗的に向上させることができる。
【００８７】
また、上記Ｖ型形状の露出導光体６２を用いることにより、スピーカ６４の前方には発光源６１が位置しない。これにより、発光源６１がスピーカ６４による音出力の障害になることを防止することができる。
【００８８】
また、鋼板６３における多数の穴６３１を介して、発光源６１による光を視認することもでき、演出効果をより効果的に発揮することができる。また、鋼板６３の表面自体が、露出導光体６２から発する光を受けて光るリフレクタの効果を有するため、光の演出効果をより効果的に発揮することができる。
【００８９】
本例においても、その他の構成は上記実施例１と同様であり、上記実施例１と同様の作用効果を得ることができる。
【００９０】
なお、上記環状発光体３は、本例の鋼板６３のように、環状発光体３の適宜箇所に実際に発光源３１が設置されていない部位が存在していたとしても、見た目上において、発光源３１が連続して配列されているような認識が持てる構成とすることもできる。また、環状発光体３は、これを構成する環状の一部に、適宜間隔を設けて構成することもできる。
【図面の簡単な説明】
【００９１】
【図１】実施例１における、環状発光体を設けた遊技機を示す正面図。
【図２】実施例１における、環状発光体を設けた遊技機を示す側面図。
【図３】実施例１における、環状発光体における導光体の一部の形成状態を示す正面図。
【図４】実施例１における、環状発光体の一部の構造を示す図で、図３におけるＡ−Ａ線矢視断面図。
【図５】実施例１における、開状態に変化したときの上角発光領域部の周辺を簡略的に示す正面図。
【図６】実施例１における、開状態に変化したときの上角発光領域部の周辺を簡略的に示す上面図。
【図７】実施例１における、開状態に変化したときの球皿発光領域部の周辺を簡略的に示す上面図。
【図８】実施例１における、演出用スイッチの周辺を示す斜視図。
【図９】実施例１における、操作ハンドルの周辺を示す斜視図。
【図１０】実施例２における、環状発光体における上側発光部の周辺を示す正面図。
【図１１】実施例２における、環状発光体における上側発光部の周辺を、側方から見た状態で示す断面説明図。
【符号の説明】
【００９２】
１  遊技機
１１  上角発光領域部
１２  球皿発光領域部
２  本体枠
２０１  上側部
２０２Ａ、Ｂ  左右両側部
２０３  下側部
２１  ガラス扉
２１１  開口部
２２  前面パネル
２３  球皿部
２５  遊技盤
３  環状発光体
３０１  上側発光部
３０２  左右発光部
３０３  下側発光部
４  上角発光体
５  球皿発光体
【図１】
0005286587.tif 000002
【図２】
0005286587.tif 000003
【図３】
0005286587.tif 000004
【図４】
0005286587.tif 000005
【図５】
0005286587.tif 000006
【図６】
0005286587.tif 000007
【図７】
0005286587.tif 000008
【図８】
0005286587.tif 000009
【図９】
0005286587.tif 000010
【図１０】
0005286587.tif 000011
【図１１】
0005286587.tif 000012